(57)【要約】      （修正有）【課題】水を沸かす機能を有する電気ポットに、ティーメーカーとコーヒーメーカー機能を加えたホット飲料機を提供する。【解決手段】フィルタ２を取り付ける作用面から下向きに突出させ、切り欠いた区域を有するように延ばしＬ型の保持部１１を形成し、フィルタ２上端のリング２１に合わせて取付けた上、フィルタ２上端のリング２１の前方に向かって中間部に管セクション２２を形成し、支持具３を枢接し、フィルタ３上端の管セクション２２に突起部２３を形成し、ホット飲料機１のＬ型の保持部１１の切り欠いた区域にて少なくとも一つの機能起動キー１２を組み付け、フィルタ２上端のリング２１をホット飲料機１の保持部１１に完全に取り付けることで、フィルタ２上端の突起部２３がホット飲料機１に対応して組み付けられた機能起動キー１２にタッチして、ホット飲料機１に設定していたコーヒーメーカー６機能が起動され、ホット飲料機１操作パネル１３の専用キーを点灯させ、設定操作に備える。【選択図】図２
0003186701.tif 000002
【実用新案登録請求の範囲】
【請求項１】
一般のホット飲料機に取り付けることによってティーメーカーとコーヒーメーカー機能がつくホット飲料機であって、
作用層を下向きに連続していないように延ばして、Ｌ型保持部を形成し、設定形態のフィルタ上端リングに合わせて取付けて、前記フィルタ上端の前記リング前方の中間部に管セクションを形成して、支持具の対応位置両側に備えるラグに合わせて寄り添えて置き、ピンロッドを用いて、前記支持具と前記フィルタとを枢接して置き、前記フィルタ上端に位置する前記管セクションの設置位置に突起部を形成し、前記ホット飲料機のＬ型前記保持部の連続していない区域にて、一つ以上の機能起動キーを組み付け、
前記フィルタ上端の前記リングを完全に前記ホット飲料機の前記保持部に取り付けて、前記フィルタの前記突起部を前記ホット飲料機の対応位置に組み付けられた前記機能起動キーにタッチし、前記ホット飲料機に設置されたティーメーカーまたはコーヒーメーカー機能を機能すると共に、前記ホット飲料機操作パネルに取り付けていた専用キーを合わせて起動させ、設定操作に備えるホット飲料機。
【請求項２】
前記ホット飲料機のＬ型前記保持部の連続していない区域に組み付けられた少なくとも一つの前記機能起動キーは、前記ティーメーカー機能に切り換える前記機能起動キーと、前記コーヒーメーカー機能に切り換えるための前記機能起動キーとであることを特徴とする、請求項１記載のホット飲料機。
【請求項３】
前記ホット飲料機の前記保持部に取り付けられた前記フィルタ上端の前記管セクションより形成する前記突起部は、前記ホット飲料機の連続していない区域に組み付ける前記機能起動キーによって、前記ティーメーカー機能または前記コーヒーメーカー機能のタッチ位置を決定されることを特徴とする、請求項１記載のホット飲料機。
【請求項４】
前記フィルタを取り付けられた前記ホット飲料機前方に位置するパネルにて、前記ティーメーカー機能または前記コーヒーメーカー機能の前記機能設定キーが取り付けられていることを特徴とする、請求項１記載のホット飲料機。
【請求項５】
前記ホット飲料機の前記保持部に取り付けられた前記フィルタの底部にて、濾過出口を形成し、前記ホット飲料機前方の容器の上端に設定していた入口位置に合わせて接続することを特徴とする、請求項１記載のホット飲料機。
【請求項６】
前記ホット飲料機前方に取り付けられた容器の底部に皿体を取り付けることができることを特徴とする、請求項５記載のホット飲料機。
【考案の詳細な説明】
【技術分野】
【０００１】
本考案はホット飲料機に関し、特に一般のホット飲料機にティーメーカーとコーヒーメーカー機能とを結合した、一つの機器で３つの用途を備える設計に関する。
【背景技術】
【０００２】
現在のティーメーカーとコーヒーメーカー機能のホット飲料機の多くは単一機能を有している。つまり、それらのティーメーカーまたはコーヒーメーカー機能付きのホット飲料機は別の機能が提供されていないほか、一般のホット飲料機もティーメーカーやコーヒーメーカー機能を有しない。
【考案の概要】
【考案が解決しようとする課題】
【０００３】
そのため、お茶を淹れたい、コーヒーを沸したいまたは単純なホット飲料の目的に応じて、それぞれの飲料に適用した機器を購入する必要があり、室内空間を取ってしまい、これらの専用製品購入にもお金が掛かる。
【課題を解決するための手段】
【０００４】
本考案は現在のティーメーカーまたはコーヒーメーカー機能のホット飲料機が単一の機能しか使用できない点を改良し、本考案を適用すれば、ホット飲料機が一般の電気魔法瓶またはティーメーカーとコーヒーメーカーのホット飲料機として使用でき、ホット飲料機の機動的な応用機能を向上する。
【０００５】
本考案の主な目的は、ティーメーカーとコーヒーメーカー機能を一般のホット飲料機に提供する。ホット飲料機の作用層を下向きに延ばして連続していないＬ型保持部を形成して、事前に設置されていたフィルタ上端のリングより取付けた上、フィルタ上端のリングが中間部に向かって管セクションを形成し、支持具の対応位置両側に備えるラグに合わせて寄り合わせて置き、ピンロッドを用いて支持具とフィルタとを枢接し、フィルタ上端の管セクションの設定位置に突起部を形成し、ホット飲料機のＬ型保持部の連続していない区域にて少なくとも一つの機能起動キーを組み付け、フィルタ上端のリングをホット飲料機の保持部に完全に取り付けて、フィルタ上端の突起部が対応位置に組み付けていた機能起動キーにタッチされ、ホット飲料機に設定していたティーメーカーまたはコーヒーメーカーの機能を起動すると共に、ホット飲料機操作パネルの専用キーを点灯させ、操作設定に備える。
【０００６】
本考案第２の目的は、ホット飲料機のＬ型保持部の連続していない区域に組み付けられた、少なくとも一つの機能起動キー、ティーメーカー態様に切り換える機能起動キーと、コーヒーメーカー態様に換えるための機能起動キーである。
【０００７】
本考案の第３目的は、ホット飲料機の保持部に取り付けられたフィルタ上端の管セクションより形成する突起部は、ホット飲料機の連続していない区域に組み付ける機能起動キーによって、ティーメーカー機能またはコーヒーメーカー機能のタッチ位置を決定される。
【０００８】
本考案の第４目的は、フィルタを取り付けたホット飲料機の前方パネルには、ティーメーカーまたはコーヒーメーカー機能の設定キーを設ける。
【０００９】
本考案の第５目的は、ホット飲料機の保持部に備えるフィルタは、底部に濾過出口を形成して、ホット飲料機前方に位置する容器上端に設置された方位に合わせて接続する。
【００１０】
本考案の第６目的は、ホット飲料機の前方に取り付けられた容器の底部に皿体を取り付けることができる。
【図面の簡単な説明】
【００１１】
【図１】本考案による電気魔法瓶態様の外観図である。
【図２】本考案によるコーヒーメーカー態様の構成品分解図である。
【図３】本考案によるコーヒーメーカー態様の濾過タンクを取り付けていないときの上面断面図である。
【図４】本考案によるコーヒーメーカー態様の外観図である。
【図５】本考案によるコーヒーメーカー態様の濾過タンクを取り付けたときの上面断面図である。
【図６】本考案によるティーメーカー態様の構成品分解図である。
【図７】本考案によるコーヒーメーカー態様の濾過タンクを取り付けていないときの上面断面図である。
【図８】本考案によるティーメーカー態様の外観図である。
【図９】本考案によるティーメーカー態様の濾過タンクを取り付けた後の上面断面図である。
【考案を実施するための形態】
【実施例】
【００１２】
本考案設計のホット飲料機は図１、２に示すように、ホット飲料機１はお茶を淹れるまたはコーヒー沸かしの機能を備えられており、主にホット飲料機１と、フィルタ２と、支持具３と、容器４と、皿体５より構成する。
【００１３】
そのうち、ホット飲料機１の作用層を下向きに連続していないように延ばしてＬ型の保持部１１を形成し、係るＬ型保持部１１の連続していない区域には、少なくとも一つの機能起動キー１２を組み付けられ、係る機能起動キー１２はティーメーカー機能の機能起動キー１２Ａ（図７）と、コーヒーメーカー機能の起動キー１２（図３）の切り換えができる。さらに、ホット飲料機１が前に向かったパネル１３上には専用キーを設けられており、係る専用キーは、ティーメーカーとコーヒーメーカー機能の設定キー１４である。
【００１４】
フィルタ２はホット飲料機１の作用層から延ばした保持部１１で形成したフィルタ素子であり、設定したフィルタ２の形態は上端にリング２１を形成し、フィルタ２上端のリング２１が前に向かって中間部に管セクション２２を形成し、管セクション２２の設置位置に突起部２３を形成する。（図３に示す突起部２３は管セクション２２の右寄りの位置にあり、図７の突起部２３Ａは管セクション２２の左寄りの位置にある。）さらに、フィルタ２の底部にフィルタ出口が形成されている（図示しない）。
【００１５】
支持具３はフィルタ２上端の周辺に対応して、淹れる材料を取り付ける素子が取付けられ、支持具３周りの間隔は２つのラグ３１と、支持具３の作用層に複数の微細孔３２を貫く。
【００１６】
容器４は淹れる内容物により必要な形態素子を取り決めるようになっており、容器４の上端に入口４１をあらかじめに設置されている。
【００１７】
皿体５は、淹れるホット飲料の容器４によって、必要な形態素子を取り決めるようになっている。
【００１８】
前述ホット飲料機１と、フィルタ２と、支持具３と、容器４と、皿体５とを組み立てるとき（図２、３に示すものはコーヒーメーカー態様の組み付けを示す図である。）には、ステップ１において、支持具３両側のラグ３１をフィルタ２上端のリング２１の管セクション２２に寄り掛かり、ピンロッド２４を用いて支持具３とフィルタ２一方のみに枢接させる。ステップ２において、引き続きフィルタ２上端のリング２１をホット飲料機１のＬ型保持部１１に寄り掛かって取付け（図５）、フィルタ２がホット飲料機１の保持部１１に完全に取り付けると、フィルタ２上端の突起部２３がホット飲料機１の対応位置に設けられた機能起動キー１４にタッチされる。ステップ３において、フィルタ２底部の濾過出口と、ホット飲料機１が前方の容器４上端の入口４１の片方に接続すると共に、受け皿５を容器４の下部に取り付けて、コーヒー沸かし機能を備えたコーヒーメーカー６の態様に仕上げる（図４）。
【００１９】
組み合わせられたコーヒーメーカー６形態のホット飲料機（図４）のフィルタ２を完全にホット飲料機１の保持部１１に取り付けて、フィルタ２上端の突起部２３がホット飲料機１の対応位置に組み付けられた機能起動キー１２（図５）にタッチすることによって、ホット飲料機１に設定していたコーヒー沸かし機能の使用ができると共に、ホット１操作パネル１３上の専用キーが点灯し、コーヒー沸かしの機能設定キー１４の設定タッチに備える。
【００２０】
さらに、お茶を淹れるティーメーカー７形態によるホット飲料機の構成品は図６に示すように、ホット飲料機１と、フィルタ２Ａと、支持具３と、容器４Ａと、皿体５Ａからなる。各構成品は前述図に示すコーヒーメーカー機能としてのホット飲料機の構成品に類似している。異なる点はフィルタ２Ａと、容器４Ａと、皿体５Ａの形態が用途によって異なるところと、フィルタ２Ａの突起部２３Ａは図７に示すように、管セクション２２の左寄りの位置に設置していて、ホット飲料機１がＬ型保持部１１の連続していない区域に組み付けられたティーメーカーの機能設定キー１２Ａに対応する。
【００２１】
図６、７に示すように、前記すべての構成品を組み付けるときは、図２、３の組立方法と同じ要領にて、フィルタ２Ａ上端のリング２１をホット飲料機１のＬ型保持部１１に寄り掛かって取り付け（図７）、フィルタ２Ａを完全にホット飲料機１の支持具１１に取り付けることによって、フィルタ２Ａ上端の左寄りの位置にある突起部２３Ａがホット飲料機１の対応位置に組み付けられた機能起動キー１２Ａにタッチ（図９）すると共に、フィルタ２Ａ底部の濾過出口（図示しない）と、ホット飲料機１前方の容器４Ａ上端入口４１の一端に接続され、引き続き、皿体５Ａを容器４Ａの下部に取り付けて、お茶淹れ機能のティーメーカー７の態様に仕上げる（図８）。
【００２２】
組み合わせられたティーメーカー７形態のホット飲料機（図８）のフィルタ２を完全にホット飲料機１の保持部１１に取り付けて、フィルタ２Ａ上端の左寄りの位置にある突起部２３Ａがホット飲料機１の対応位置に組み付けられた機能起動キー１２Ａ（図９）にタッチすることによって、ホット飲料機１に設定していたコーヒー沸かし機能の使用ができると共に、ホット１操作パネル１３上の専用キーが点灯し、コーヒー沸かしの機能設定キー１４の設定タッチに備える。
【００２３】
前述のように、コーヒー沸かしまたはお茶淹れ機能により、一般のホット飲料機１の作用層に組付けられたコーヒーメーカー６形態のホット飲料機（図４）、またはお茶淹れ機能のティーメーカー７形態のホット飲料機（図８）によって、ホット飲料機１に一般の電気魔法瓶またはティーメーカーあるいはコーヒーメーカー３種類の機能を提供するホット飲料機として使用に提供し、ホット飲料機の応用機能を向上できる。
【符号の説明】
【００２４】
ホット飲料機
１１            保持部
１２、１２Ａ        機能起動キー
１３            パネル
１４            機能設定キー
２、２Ａ          フィルタ
２１            リング
２２            管セクション
２３、２３Ａ        突起部
２４            ピンロッド
３            支持具
３１            ラグ
３２            微細孔
４、４Ａ          容器
４１            入口
５、５Ａ          皿体
６            コーヒーメーカー
７            ティーメーカー
【図１】
0003186701.tif 000003
【図２】
0003186701.tif 000004
【図３】
0003186701.tif 000005
【図４】
0003186701.tif 000006
【図５】
0003186701.tif 000007
【図６】
0003186701.tif 000008
【図７】
0003186701.tif 000009
【図８】
0003186701.tif 000010
【図９】
0003186701.tif 000011
【手続補正書】
【提出日】平成25年8月16日(2013.8.16)
【手続補正１】
【補正対象書類名】実用新案登録請求の範囲
【補正対象項目名】全文
【補正方法】変更
【補正の内容】
【実用新案登録請求の範囲】
【請求項１】
水を沸かす機能を有する電気ポットに、ティーメーカーとコーヒーメーカー機能を加えたホット飲料機であって、
フィルタを取り付ける作用面から下向きに突出させ、切り欠いた区域を有するように延ばして、Ｌ型保持部を形成し、フィルタ上端のリングに合わせて取付けて、前記フィルタ上端の前記リング前方の中間部に管セクションを形成して、支持具の対応位置両側に備えるラグに合わせて寄り添えて置き、ピンロッドを用いて、前記支持具と前記フィルタとを枢接して置き、前記フィルタ上端に位置する前記管セクションの設置位置に突起部を形成し、前記ホット飲料機のＬ型前記保持部の切り欠いた区域にて、一つ以上の機能起動キーを組み付け、
前記フィルタ上端の前記リングを完全に前記ホット飲料機の前記保持部に取り付けて、前記フィルタの前記突起部を前記ホット飲料機の対応位置に組み付けられた前記機能起動キーにタッチし、前記ホット飲料機に設置されたティーメーカーまたはコーヒーメーカー機能を機能すると共に、前記ホット飲料機の操作パネルに取り付けていた専用キーを合わせて起動させ、設定操作に備えるホット飲料機。
【請求項２】
前記ホット飲料機のＬ型前記保持部の切り欠いた区域に組み付けられた少なくとも一つの前記機能起動キーは、前記ティーメーカー機能に切り換える前記機能起動キーと、前記コーヒーメーカー機能に切り換えるための前記機能起動キーとであることを特徴とする、請求項１記載のホット飲料機。
【請求項３】
前記ホット飲料機の前記保持部に取り付けられた前記フィルタ上端の前記管セクションより形成する前記突起部は、前記ホット飲料機の切り欠いた区域に組み付ける前記機能起動キーによって、前記ティーメーカー機能または前記コーヒーメーカー機能のタッチ位置を決定されることを特徴とする、請求項１記載のホット飲料機。
【請求項４】
前記フィルタを取り付けられた前記ホット飲料機前方に位置するパネルにて、前記ティーメーカー機能または前記コーヒーメーカー機能の機能設定キーが取り付けられていることを特徴とする、請求項１記載のホット飲料機。
【請求項５】
前記ホット飲料機の前記保持部に取り付けられた前記フィルタの底部にて、濾過出口を形成し、前記ホット飲料機前方の容器の上端に設定していた入口位置に合わせて接続することを特徴とする、請求項１記載のホット飲料機。
【請求項６】
前記ホット飲料機前方に取り付けられた容器の底部に皿体を取り付けることができることを特徴とする、請求項５記載のホット飲料機。
【手続補正２】
【補正対象書類名】明細書
【補正対象項目名】０００５
【補正方法】変更
【補正の内容】
【０００５】
本考案の主な目的は、ティーメーカーとコーヒーメーカー機能を一般のホット飲料機に提供する。ホット飲料機の作用面から下向きに延ばして切り欠いた区域を有するＬ型保持部を形成して、事前に設置されていたフィルタ上端のリングより取付けた上、フィルタ上端のリングが中間部に向かって管セクションを形成し、支持具の対応位置両側に備えるラグに合わせて寄り合わせて置き、ピンロッドを用いて支持具とフィルタとを枢接し、フィルタ上端の管セクションの設定位置に突起部を形成し、ホット飲料機のＬ型保持部の切り欠いた区域にて少なくとも一つの機能起動キーを組み付け、フィルタ上端のリングをホット飲料機の保持部に完全に取り付けて、フィルタ上端の突起部が対応位置に組み付けていた機能起動キーにタッチされ、ホット飲料機に設定していたティーメーカーまたはコーヒーメーカーの機能を起動すると共に、ホット飲料機操作パネルの専用キーを点灯させ、操作設定に備える。
【手続補正３】
【補正対象書類名】明細書
【補正対象項目名】０００６
【補正方法】変更
【補正の内容】
【０００６】
本考案第２の目的は、ホット飲料機のＬ型保持部の切り欠いた区域に組み付けられた、少なくとも一つの機能起動キー、ティーメーカー態様に切り換える機能起動キーと、コーヒーメーカー態様に換えるための機能起動キーである。
【手続補正４】
【補正対象書類名】明細書
【補正対象項目名】０００７
【補正方法】変更
【補正の内容】
【０００７】
本考案の第３目的は、ホット飲料機の保持部に取り付けられたフィルタ上端の管セクションより形成する突起部は、ホット飲料機の切り欠いた区域に組み付ける機能起動キーによって、ティーメーカー機能またはコーヒーメーカー機能のタッチ位置を決定される。
【手続補正５】
【補正対象書類名】明細書
【補正対象項目名】００１３
【補正方法】変更
【補正の内容】
【００１３】
そのうち、ホット飲料機１の作用面を下向きに突出させ、切り欠いた区域を有するように延ばしてＬ型の保持部１１を形成し、係るＬ型保持部１１の切り欠いた区域には、少なくとも一つの機能起動キー１２を組み付けられ、係る機能起動キー１２はティーメーカー機能の機能起動キー１２Ａ（図７）と、コーヒーメーカー機能の起動キー１２（図３）の切り換えができる。さらに、ホット飲料機１が前に向かったパネル１３上には専用キーを設けられており、係る専用キーは、ティーメーカーとコーヒーメーカー機能の設定キー１４である。
【手続補正６】
【補正対象書類名】明細書
【補正対象項目名】００１４
【補正方法】変更
【補正の内容】
【００１４】
フィルタ２はホット飲料機１の作用面から延ばした保持部１１で形成したフィルタ素子であり、設定したフィルタ２の形態は上端にリング２１を形成し、フィルタ２上端のリング２１が前に向かって中間部に管セクション２２を形成し、管セクション２２の設置位置に突起部２３を形成する。（図３に示す突起部２３は管セクション２２の右寄りの位置にあり、図７の突起部２３Ａは管セクション２２の左寄りの位置にある。）さらに、フィルタ２の底部にフィルタ出口が形成されている（図示しない）。
【手続補正７】
【補正対象書類名】明細書
【補正対象項目名】００１５
【補正方法】変更
【補正の内容】
【００１５】
支持具３はフィルタ２上端の周辺に対応して、淹れる材料を取り付ける素子が取付けられ、支持具３周りの間隔は２つのラグ３１と、支持具３の作用面に複数の微細孔３２を貫く。
【手続補正８】
【補正対象書類名】明細書
【補正対象項目名】００２０
【補正方法】変更
【補正の内容】
【００２０】
さらに、お茶を淹れるティーメーカー７形態によるホット飲料機の構成品は図６に示すように、ホット飲料機１と、フィルタ２Ａと、支持具３と、容器４Ａと、皿体５Ａからなる。各構成品は前述図に示すコーヒーメーカー機能としてのホット飲料機の構成品に類似している。異なる点はフィルタ２Ａと、容器４Ａと、皿体５Ａの形態が用途によって異なるところと、フィルタ２Ａの突起部２３Ａは図７に示すように、管セクション２２の左寄りの位置に設置していて、ホット飲料機１がＬ型保持部１１の切り欠いた区域に組み付けられたティーメーカーの機能設定キー１２Ａに対応する。
【手続補正９】
【補正対象書類名】明細書
【補正対象項目名】００２３
【補正方法】変更
【補正の内容】
【００２３】
前述のように、コーヒー沸かしまたはお茶淹れ機能により、一般のホット飲料機１の作用面に組付けられたコーヒーメーカー６形態のホット飲料機（図４）、またはお茶淹れ機能のティーメーカー７形態のホット飲料機（図８）によって、ホット飲料機１に一般の電気魔法瓶またはティーメーカーあるいはコーヒーメーカー３種類の機能を提供するホット飲料機として使用に提供し、ホット飲料機の応用機能を向上できる。